(57)【要約】【課題】薄型化が可能で、且つ、静電気による破損も防止可能なインターホン機器を提供する。【解決手段】スピーカ窓１１の内周面に、孔の径方向内側へ突出するリブ１３をスピーカ窓１２の内周面に沿って周設し、リブ１３によってスピーカ６の枠部６ｂ及びエッジ部６ｃが被覆されるようにスピーカ６を設置した。そのため、たとえ従来よりもスピーカ６をカバー部材３側へ近づけて設置したとしても、スピーカ孔１６から静電気が侵入し、スピーカ６のエッジ部６ｃへ到達しようとする際に、到達経路となる距離（所謂、沿面距離）を十分に稼ぐことができる。したがって、インターホン親機１の薄型化が可能であるとともに、静電気がエッジ部６ｃへ到達しにくくなっており、たとえ薄型化したとしても静電気によるスピーカ６の破損防止を図ることができる。【選択図】図３
2010041106.tif 000002
【特許請求の範囲】
【請求項１】
本体ケース内に、音声を発生する振動部の周囲を枠体により囲ってなるスピーカが内蔵されており、前記本体ケースの前面に、前記スピーカの前記振動部を露出させるためのスピーカ窓が開設されているとともに、スピーカ孔を有するカバー部材が前記スピーカ窓を覆うように取り付けられてなるインターホン機器であって、
前記スピーカ窓の内周面に、更に内方へ突出するリブを前記内周面に沿って周設し、
前記スピーカを、前記枠体が前記リブにより被覆された状態で前記振動部が前記スピーカ窓から露出するように、前記本体ケース内に設置したことを特徴とするインターホン機器。
【請求項２】
前記リブが、前記本体ケースの前記カバー部材を取り付ける面よりも一段後方に設けられており、前記カバー部材を取り付けた際、前記カバー部材と前記リブとの間に空間が形成されることを特徴とする請求項１に記載のインターホン機器。
【請求項３】
前記スピーカ窓内の開口が前記振動部の開口と同形状であり、前記スピーカを設置した際、前記リブにより前記振動部が被覆されないことを特徴とする請求項１又は２に記載のインターホン機器。
【発明の詳細な説明】
【技術分野】
【０００１】
本発明は、通話のためのスピーカが内蔵されたインターホン機器に関するものである。
【背景技術】
【０００２】
一般的なインターホン機器（たとえば、インターホン親機等）には、通話のためのスピーカが内蔵されている。ここで、従来のインターホン機器におけるスピーカの取付構造について、図６をもとに説明する。図６は、従来のインターホン機器におけるスピーカ５１の取付構造を示した断面説明図である。
スピーカ５１は、図示しないケース部材内に設置されており、当該スピーカ５１の前方は、複数のスピーカ孔５２、５２・・が穿設されてなるカバー部材５３により覆われている。そして、スピーカ５１の前方とカバー部材５３との間には空間Ｓが確保されており、スピーカ孔５２から侵入する静電気がスピーカ５１（特に、金属製となるスピーカ５１の周縁部）へ到達しないように図られていた。尚、５４、５５は、スピーカ５１を固定するための固定片である。
また、当該構成以外にも、たとえば特許文献１に記載されているように、スピーカの前方に緩衝部材を設置することにより、スピーカとカバー部材との間に静電気の到達防止のための空間を確保したものもある。
【０００３】
【特許文献１】特開２００６−２２２５３３号公報
【発明の開示】
【発明が解決しようとする課題】
【０００４】
近年、デザイン等の理由からインターホン機器の薄型化が望まれている。しかしながら、上述したような構成では、スピーカ５１の前方にある程度の空間Ｓを確保しなければならないため、薄型化の要求に応えることができないという課題がある。また、無理矢理にスピーカ５１とカバー部材５３とを近接させて構成すると、スピーカ孔５２、５２・・から侵入した静電気によりスピーカ５１が破損するおそれがある。
【０００５】
そこで、本発明は、上記課題に鑑みなされたものであって、薄型化が可能で、且つ、静電気による破損も防止可能なインターホン機器を提供しようとするものである。
【課題を解決するための手段】
【０００６】
上記目的を達成するために、本発明のうち請求項１に記載の発明は、本体ケース内に、音声を発生する振動部の周囲を枠体により囲ってなるスピーカが内蔵されており、本体ケースの前面に、スピーカの振動部を露出させるためのスピーカ窓が開設されているとともに、スピーカ孔を有するカバー部材がスピーカ窓を覆うように取り付けられてなるインターホン機器であって、スピーカ窓の内周面に、更に内方へ突出するリブを内周面に沿って周設し、スピーカを、枠体がリブにより被覆された状態で振動部がスピーカ窓から露出するように、本体ケース内に設置したことを特徴とする。
請求項１に記載の発明によれば、スピーカ窓の内周面にリブを設けることで、たとえスピーカを本体ケース前面へ近づけて設置したとしても、スピーカ孔から侵入する静電気が枠体へ到達するまでの経路に係る距離を十分に稼ぐことができる。したがって、インターホン機器の薄型化が可能であるとともに、静電気がスピーカの枠体へ到達しにくくなっており、たとえ薄型化したとしても静電気によるスピーカの破損防止を図ることができる。
【０００７】
請求項２に記載の発明は、請求項１に記載の発明において、リブが、本体ケースのカバー部材を取り付ける面よりも一段後方に設けられており、カバー部材を取り付けた際、カバー部材とリブとの間に空間が形成されることを特徴とする。
請求項２に記載の発明によれば、カバー部材とリブとの間に形成された空間内でスピーカから出された音声が響くため、より明瞭な音声を放音させることができる。
【０００８】
請求項３に記載の発明は、請求項１又は２に記載の発明において、スピーカ窓内の開口が振動部の開口と同形状であり、スピーカを設置した際、リブにより振動部が被覆されないことを特徴とする。
請求項３に記載の発明によれば、スピーカを設置した際、リブにより振動部が被覆されないため、スピーカから出された音声がリブにより遮断されたりすることがなく、一層明瞭な音声を放音させることができる。
【発明の効果】
【０００９】
本発明によれば、スピーカ窓の内周面に、更に内方へ突出するリブを内周面に沿って周設し、スピーカを、枠体がリブにより被覆された状態で振動部がスピーカ窓から露出するように、本体ケース内に設置しているため、たとえ従来よりもスピーカを本体ケース前面へ近づけて設置したとしても、スピーカ孔から侵入した静電気が枠体へ到達するまでの経路に係る距離を十分に稼ぐことができる。したがって、インターホン機器の薄型化が可能であるとともに、静電気がスピーカの枠体へ到達しにくくなっており、たとえ薄型化したとしても静電気によるスピーカの破損防止を図ることができる。
【発明を実施するための最良の形態】
【００１０】
以下、本発明の一実施形態となるインターホン親機について、図面をもとに説明する。
【００１１】
図１は、インターホン親機１の外観を示した斜視説明図である。図２は、インターホン親機１の縦方向での断面説明図であり、図３は、図２におけるＡ部を拡大して示した説明図である。図４は、前ケース２を示した斜視説明図であり、図５は、カバー部材３を示した斜視説明図である。
インターホン親機１は、室内等に設置されており、玄関の壁面等に設置されるインターホン子機（図示せず）を呼び出し、当該インターホン子機との間で通話するためのものであって、前ケース２と後ケース４とを組み付けてなる本体ケース５の内部空間に、スピーカ６や通話回路等が形成されてなる各種基板等が設置されたものである。また、前ケース２の前面には、デザインを向上させるためのカバー部材３が取り付けられている。尚、７は、他のインターホン機器を呼び出すための呼出ボタンであり、８は、通話を開始するための通話ボタン、９は、通話を終了するための終了ボタンである。そして、これら各種ボタンは、押し込み操作可能に取り付けられている。
【００１２】
スピーカ６は、従来周知の構造を有しており、振動して音声を発生させる振動部６ａと、振動部６ａの周囲を囲うように設けられ、振動部６ａが固定される合成樹脂製の枠部６ｂと、枠部６ｂの更に周囲に設けられた金属製のエッジ部６ｃとからなる。そして、スピーカ６は、図示しない固定部材により前方へ放音する姿勢で前ケース２の後面に固定され、更に前ケース２と後ケース４を組み付けるに際して、後ケース４に設けられた押止突起４ａにより押し止めされる。
【００１３】
前ケース２は、後ケース４の前方開口を覆うように組み付けられるカバー体であって、その前面略中央には、カバー部材３を取り付けるための取付凹部１０が設けられている。そして、当該取付凹部１０には、スピーカ６の振動部６ａを露出させるためのスピーカ窓１１、呼出ボタン７を取り付けるためのボタン窓１２等が開設されている。スピーカ窓１１は、取付凹部１０の下部に開設された円孔であって、当該スピーカ窓１１の内周面には、孔の径方向内側へ突出するリブ１３がスピーカ窓１１の内周面に沿って周設されている。尚、前ケース２の下部には、通話ボタン８や終了ボタン９を取り付けるためのボタン取付台１４が設けられている。
【００１４】
また、リブ１３は、取付凹部１０の表面（すなわち、カバー部材３の設置面）よりも後方位置に設けられており、リブ１３の前面と取付凹部１０の表面とが面一ではなく、両者の間に段差が形成されている。したがって、カバー部材３を取付凹部１０内に設置すると、リブ１３とカバー部材３との間に空間Ｋが形成されることになる。さらに、リブ１３の突出量を、スピーカ６の枠部６ｂ及びエッジ部６ｃの径方向への幅と略同じとして、スピーカ窓１１の開口部をスピーカ６の振動部６ａと同形状にしている。したがって、図２及び３に示す如く、スピーカ６を取り付けた際、リブ１３が、枠部６ｂ及びエッジ部６ｃのみを被覆し、振動部６ａの前方へは突出しないようになっている。
【００１５】
一方、カバー部材３は、上述したように取付凹部１０の前面に取り付けられる薄い板状部材であって、略中央には、呼出ボタン７を露出させるための露出窓１５が開設されている。また、カバー部材３の下部で、取付凹部１０へ取り付けた際にスピーカ窓１１の前方となる位置には、スピーカ６から出された音声を放音するための複数のスピーカ孔１６、１６・・が穿設されている。さらに、スピーカ孔１６、１６・・の周囲には、スピーカ孔１６と同形状の疑似凹部（有底孔）１７が複数設けられており、スピーカ孔１６と疑似凹部１７とを複数行複数列で規則的に配列させることによりデザインの向上を図っている。
【００１６】
以上のような構成を有するインターホン親機１によれば、スピーカ窓１１の内周面に、孔の径方向内側へ突出するリブ１３をスピーカ窓１２の内周面に沿って周設しており、スピーカ６を設置した際、リブ１３によってスピーカ６の枠部６ｂ及びエッジ部６ｃを被覆している。そのため、たとえ従来よりもスピーカ６をカバー部材３側へ近づけて設置したとしても、スピーカ孔１６から静電気が侵入し、スピーカ６のエッジ部６ｃへ到達しようとする際に、静電気の到達経路となる距離（所謂、沿面距離）を稼ぐことができる。したがって、インターホン親機１の薄型化が可能であるとともに、静電気がエッジ部６ｃへ到達しにくく（すなわち、静電気が発生しにくく）なっており、たとえ薄型化したとしても静電気によるスピーカ６の破損防止を図ることができる。
【００１７】
また、リブ１３を取付凹部１０の表面よりも一段後方に設けており、取付凹部１０の表面とリブ１３との間に段差を形成しているため、カバー部材３を取付凹部１０内に取り付けた際、カバー部材３とリブ１３との間に空間Ｋが形成される。したがって、空間Ｋが設けられていない構造と比較すると、スピーカ６から出された音声が空間Ｋ内で響き、より明瞭な音声を放音させることができる。
さらに、スピーカ窓１１内にリブ１３を設けるにあたり、スピーカ窓１１の開口部がスピーカ６の振動部６ａと同形状になり、リブ１３によってスピーカ６の振動部６ａが被覆されないようにしている。したがって、スピーカ６から出された音声がリブ１３により遮断されたりすることがなく、一層明瞭な音声を放音させることができる。
【００１８】
なお、本発明に係るインターホン機器は、上記実施形態に記載の態様に何ら限定されるものではなく、インターホン機器そのもの、カバー部材３、スピーカ６、スピーカ窓１１等に係る構成を、本発明の趣旨を逸脱しない範囲で、必要に応じて適宜変更することができる。
【００１９】
たとえば、上記実施形態では、リブ１３を取付凹部１０の表面よりも一段後方へ設けており、カバー部材３を設置した際にカバー部材３とリブ１３との間に空間Ｋが形成されるようにしているが、リブ１３と取付凹部１０の表面とが面一となるようにリブ１３を設けることも可能である。当該構成を採用することで、インターホン機器の一層の薄型化を図ることができる。
また、上記実施形態では、スピーカ窓１１の開口部を振動部６ａと同形状として、振動部６ａが完全に露出するように構成しているが、音声の放音に支障をきたさない程度であればリブ１３を振動部６ａの前方まで突出させてもよい。そして、リブ１３を突出させればさせるほど、沿面距離を稼ぐことができ、静電気による破損防止効果を向上させることができる。
加えて、本発明は、スピーカ６を内蔵するインターホン機器であれば、実施形態に記載のインターホン親機１に何ら限定されることはなく、携帯用の子機や親機、玄関等に設置される子機等の種々のインターホン機器に適用することができる。そして、インターホン機器の種類や大きさ等に応じて、カバー部材３の形状やスピーカ６の設置位置、スピーカ孔１６の数や設置位置等を適宜設計変更可能であることは言うまでもない。
【図面の簡単な説明】
【００２０】
【図１】インターホン親機の外観を示した斜視説明図である。
【図２】インターホン親機の縦方向での断面説明図である。
【図３】図２におけるＡ部を拡大して示した説明図である。
【図４】前ケースを示した斜視説明図である。
【図５】カバー部材を示した斜視説明図である。
【図６】従来のインターホン機器におけるスピーカの取付構造を示した断面説明図である。
【符号の説明】
【００２１】
１・・インターホン親機（インターホン機器）、２・・前ケース、３・・カバー部材、４・・後ケース、５・・本体ケース、６・・スピーカ、６ａ・・振動部、６ｂ・・枠部（枠体）、６ｃ・・エッジ部（枠体）、１０・・取付凹部、１１・・スピーカ窓、１３・・リブ、１６・・スピーカ孔、Ｋ・・空間。
【図１】
2010041106.tif 000003
【図２】
2010041106.tif 000004
【図３】
2010041106.tif 000005
【図４】
2010041106.tif 000006
【図５】
2010041106.tif 000007
【図６】
2010041106.tif 000008